(57)【要約】【課題】壁つなぎにかかるコストを低減し、有効開口を広げること。【解決手段】躯体を構成する下部ＰＣ柱１００であって、上面から一部が突出するように埋め込まれた埋め込み部材１０２1〜１０２4を有する下部ＰＣ柱１００を設置するステップと、下部ＰＣ柱１００に沿って設けられエレベータをガイドするガイド支柱と埋め込み部材１０２1〜１０２4との間を壁つなぎ材２００を介して接続するステップとを含み、壁つなぎ材２００は、水平方向に反力をとる反力プレート２０２と、ガイド支柱を下部ＰＣ柱１００から引き離す力を下部ＰＣ柱１００に伝達する連結部材２０３および連結部材２０６とを備えている。【選択図】        図１
2006057273.tif 000002
【特許請求の範囲】
【請求項１】
躯体を構成するコンクリート柱であって、上面から一部が突出するように埋め込まれた埋め込み部材を有するコンクリート柱を設置する設置工程と、
前記コンクリート柱に沿って設けられエレベータをガイドするガイド支柱と前記埋め込み部材との間を壁つなぎ材を介して接続する接続工程と、
を含むことを特徴とする壁つなぎ方法。
【請求項２】
前記壁つなぎ材は、水平方向に反力をとる反力プレートと、前記ガイド支柱を前記コンクリート柱から引き離す力を前記コンクリート柱に伝達する連結部材とを備え、前記反力プレートは、前記埋め込み部材に係合されており、前記連結部材は、前記埋め込み部材に連結されていることを特徴とする請求項１に記載の壁つなぎ方法。
【請求項３】
前記連結部材は、略Ｕ字状とされていることを特徴とする請求項２に記載の壁つなぎ方法。
【請求項４】
前記連結部材の先端部は、略カギ状とされていることを特徴とする請求項２に記載の壁つなぎ方法。
【発明の詳細な説明】
【技術分野】
【０００１】
本発明は、エレベータの壁つなぎ方法に関するものであり、特に、壁つなぎにかかるコストを低減し、有効開口を広げることができるエレベータの壁つなぎ方法に関するものである。
【背景技術】
【０００２】
従来より、仮設工事用のエレベータ（以下仮設エレベータという）を所定の高さを超えて設置する場合には、法律に基づく構造規格上、仮設エレベータ本体を昇降時にガイドするガイド支柱と、施工中の躯体（鉄筋コンクリート構造物）との間に適当な間隔で水平方向の壁つなぎと呼ばれる措置をとる必要がある。具体的には、ガイド支柱と躯体との間には、壁つなぎ材が設置される。これにより、仮設エレベータ本体は、壁つなぎ材を介して、躯体に支持される。
【０００３】
また、集合住宅でＲＣ造の建物外周部に仮設エレベータを設置する場合には、バルコニの端部、梁の表面、外周柱の表面にインサートを予め仕込んでおき、仮設エレベータを垂直方向に伸延するたび（クライミング時）に現場条件に合わせて製作した壁つなぎ材を設置する方法が一般にとられている。
【０００４】
ここで、最近では、躯体を構成する柱や梁をＰＣ柱（プレキャストコンクリート柱）やＰＣ梁（プレキャストコンクリート梁）とするＰＣ化が進んでいる。これらのＰＣ柱やＰＣ梁は、現場施工の省力化、工期の短縮化などを図るために、工場で予め生産され、鉄筋コンクリート構造物の柱や梁として用いられる。
【０００５】
また、ＰＣ柱やＰＣ梁には、高所での仕上げ作業を無くす目的で、外周面に塗装が施されているものがほとんどである。従って、仕上げが施されているＰＣ柱やＰＣ梁の場合には、壁つなぎ材により塗装が剥がれるため、壁つなぎ材をＰＣ柱やＰＣ梁の外周面に設けることができない。
【０００６】
そこで、従来では、図５に示したように、外観上直接見えにくいＰＣ梁、ＰＣ柱の部分に壁つなぎ材を設けている。
【０００７】
具体的には、図５は、従来の仮設エレベータ１０、躯体２０、壁つなぎ材３０Ａおよび壁つなぎ材３０Ｂを示す平面図である。同図において、仮設エレベータ１０は、仮設エレベータ本体１１と、昇降時に仮設エレベータ本体１１をガイドするガイド支柱１２Ａおよびガイド支柱１２Ｂとから構成されており、躯体２０のＰＣ支柱２１ＡおよびＰＣ支柱２１Ｂに沿って設けられている。
【０００８】
躯体２０は、垂直方向に設けられたＰＣ支柱２１Ａ、ＰＣ支柱２１Ｂや、水平方向に設けられたＰＣ梁２３等からなる鉄筋コンクリート構造体である。壁つなぎ材３０Ａは、ＰＣ支柱２１Ａの近傍であってＰＣ梁２３（外観上見えにくい部分）とガイド支柱１２Ａとを接続し、ガイド支柱１２ＡをＰＣ梁２３に支持させるための部材である。
【０００９】
壁つなぎ材３０Ｂは、ＰＣ支柱２１Ｂの近傍であってＰＣ梁２３（外観上見えにくい部分）とガイド支柱１２Ｂとを接続し、ガイド支柱１２ＢをＰＣ梁２３に支持させるための部材である。これらのガイド支柱１２Ａおよびガイド支柱１２Ｂは、略Ｓ字状の複雑な形状を有している。
【００１０】
【特許文献１】特開平１１−１４１２７１号公報
【発明の開示】
【発明が解決しようとする課題】
【００１１】
ところで、従来においては、図５に示したＰＣ梁２３に壁つなぎ材３０Ａおよび壁つなぎ材３０Ｂを設けた場合、間隔が広いガイド支柱１２Ａおよびガイド支柱１２Ｂに接続するために壁つなぎ材３０Ａおよび壁つなぎ材３０Ｂを複雑な略Ｓ字形状とせざるを得ないため、壁つなぎ材が重くなり、コストアップにつながるという欠点があった。
【００１２】
また、従来においては、壁つなぎ材３０Ａおよび壁つなぎ材３０Ｂが邪魔となって、仮設エレベータ本体１１の有効開口Ｄが狭められ、乗降特性が低下するという問題があった。すなわち、有効開口Ｄが狭くなることにより、仮設エレベータ本体１１への乗り降りがしにくくなるのである。
【００１３】
本発明は、上記に鑑みてなされたものであって、壁つなぎにかかるコストを低減し、有効開口を広げることができるエレベータの壁つなぎ方法を提供することを目的とする。
【課題を解決するための手段】
【００１４】
上述した課題を解決し、目的を達成するために、本発明は、躯体を構成するコンクリート柱であって、上面から一部が突出するように埋め込まれた埋め込み部材を有するコンクリート柱を設置する設置工程と、前記コンクリート柱に沿って設けられエレベータをガイドするガイド支柱と前記埋め込み部材との間を壁つなぎ材を介して接続する接続工程と、を含むことを特徴とする。
【発明の効果】
【００１５】
本発明によれば、上面から一部が突出するように埋め込まれた埋め込み部材を有するコンクリート柱を設置し、コンクリート柱に沿って設けられエレベータをガイドするガイド支柱と埋め込み部材との間を壁つなぎ材を介して接続することとしたので、従来のようにコンクリート梁に壁つなぎ材を設ける場合に比して、壁つなぎ材の形状が簡単になり、壁つなぎにかかるコストを低減し、有効開口を広げることができるという効果を奏する。
【発明を実施するための最良の形態】
【００１６】
以下に、本発明にかかるエレベータの壁つなぎ方法の実施例を図面に基づいて詳細に説明する。なお、この実施例によりこの発明が限定されるものではない。
【実施例１】
【００１７】
図１は、本発明にかかる実施例１によるエレベータの壁つなぎ方法を説明する平面図である。図２は、図１に示したＡ−Ａ線視断面図である。図３は、図１に示したＢ−Ｂ線視断面図である。
【００１８】
図１において、下部ＰＣ柱１００は、躯体（建物）を構成するプレキャストコンクリート柱であり、図５に示したＰＣ支柱２１Ａに対応している。下部ＰＣ柱１００は、垂直方向に配設された複数の鉄筋１０１と、埋め込み部材１０２1〜１０２4と、水平方向に配設された複数の補強筋１０３とを備えたコンクリート柱である。
【００１９】
これらの埋め込み部材１０２1〜１０２4は、図２および図３に示したように上端部が上面１００ａから突出するように埋め込まれている棒部材であり、後述する壁つなぎ材２００を介して、ガイド支柱１２Ａ（図５参照）を支持する役目をしている。
【００２０】
この下部ＰＣ柱１００の上には、図２および図３に示した上部ＰＣ柱３００が配設される。この上部ＰＣ柱３００は、下部ＰＣ柱１００と同様の構成とされている。上部ＰＣ柱３００の下面には、凹部３００ａが形成されている。この凹部３００ａは、下部ＰＣ柱１００の上に上部ＰＣ柱３００が配設された場合に、埋め込み部材１０２1〜１０２4の上端部が上部ＰＣ柱３００に接触しないようにする目的で形成されている。
【００２１】
図１に戻り、壁つなぎ材２００は、図５に示した壁つなぎ材３０Ａに対応している。但し、壁つなぎ材２００は、後述するように、壁つなぎ材３０Ａと構造が異なる。壁つなぎ材２００は、下部ＰＣ柱１００と、ガイド支柱１２Ａ（図５参照）との間をつなぐ部材である。この壁つなぎ材２００において、基部２０１の下部ＰＣ柱１００側には、反力プレート２０２が溶接されている。一方、基部２０１のガイド支柱１２Ａ（仮設エレベータ１０）側には、連結プレート２０９が溶接されている。
【００２２】
反力プレート２０２には、略Ｖ字形状の係合部２０２ａおよび係合部２０２ｂが形成さされている。この反力プレート２０２は、係合部２０２ａおよび係合部２０２ｂが埋め込み部材１０２2および埋め込み部材１０２3に係合されるように設けられる。また、反力プレート２０２は、ガイド支柱１２Ａ（仮設エレベータ１０）で生じる水平力のうち、ガイド支柱１２Ａ方向への押しつけ力と、その直角方向の力を受け持つ役目をしている。
【００２３】
連結部材２０３は、略Ｕ字状の部材であり、反力プレート２０２の同図右方に配設されている。この連結部材２０３は、締結具２０４および締結具２０５を介して、基部２０１に締結されている。連結部材２０６は、略Ｕ字状の部材であり、反力プレート２０２の同図左方に配設されている。この連結部材２０６は、締結具２０７および締結具２０８を介して、基部２０１に締結されている。これらの連結部材２０３および連結部材２０６は、埋め込み部材１０２1および埋め込み部材１０２4と連結されており、ガイド支柱１２Ａ（仮設エレベータ１０）を下部ＰＣ柱１００から引き離す方向の力を下部ＰＣ柱１００に伝達する。
【００２４】
連結プレート２０９には、左右に連結部２１０ａおよび連結部２１０ｂが形成されている。連結部２１０ａには、壁つなぎ棒２１１および壁つなぎ棒２１２が締結具２１３により締結されている（図２および図３参照）。同様にして、連結部２１０ｂには、壁つなぎ棒２１４が締結具２１５により締結されている。これらの壁つなぎ棒２１１壁つなぎ棒２１２および壁つなぎ棒２１４の各他端（図示略）は、ガイド支柱１２Ａ（図５参照）に締結されている。
【００２５】
なお、図５に示したＰＣ支柱２１Ｂに対応する位置にも、上述した下部ＰＣ柱１００および上部ＰＣ柱３００と同一構成の下部ＰＣ柱および上部ＰＣ柱が設けられている。また、この下部ＰＣ柱とガイド支柱１２Ｂとの間には、壁つなぎ材２００と同一構成の壁つなぎ材が設けられている。
【００２６】
以上説明したように、実施例１によれば、上面から一部が突出するように埋め込まれた埋め込み部材１０２1〜１０２4を有する下部ＰＣ柱１００を設置し、下部ＰＣ柱１００に沿って設けられ仮設エレベータ１０（図５参照）をガイドするガイド支柱１２Ａと埋め込み部材１０２1〜１０２4との間を壁つなぎ材２００を介して接続することとしたので、従来のようにコンクリート梁に壁つなぎ材を設ける場合に比して、壁つなぎ材２００の形状が簡単になり、壁つなぎにかかるコストを低減し、有効開口を広げることができる。
【実施例２】
【００２７】
さて、前述した実施例１においては、図１に示した略Ｕ字状の連結部材２０３および連結部材２０６を埋め込み部材１０２1および埋め込み部材１０２4に連結した構成例について説明したが、取り付けの作業性を改善するために、連結部材２０３および連結部材２０６に代えて、カギ状の連結部材（連結部材４０３；図４参照）を用いてもよい。以下では、この構成例を実施例２として説明する。
【００２８】
図４は、本発明にかかる実施例２によるエレベータの壁つなぎ方法を説明する平面図である。同図において、図１〜図３の各部に対応する部分には同一の符号を付ける。図４においては、図１〜図３に示した壁つなぎ材２００に代えて、壁つなぎ材４００が設けられている。
【００２９】
図４に示した壁つなぎ材４００は、壁つなぎ材２００と同様にして、下部ＰＣ柱１００と、ガイド支柱１２Ａ（図５参照）との間をつなぐ部材である。この壁つなぎ材４００において、基部４０１の下部ＰＣ柱１００側には、反力プレート４０２が溶接されている。一方、基部４０１のガイド支柱１２Ａ（仮設エレベータ１０）側には、連結プレート４０７が溶接されている。
【００３０】
反力プレート４０２には、略Ｖ字形状の係合部４０２ａおよび係合部４０２ｂが形成さされている、この反力プレート４０２は、係合部４０２ａおよび係合部４０２ｂが埋め込み部材１０２2および埋め込み部材１０２3に係合されるように設けられる。また、反力プレート４０２は、ガイド支柱１２Ａ（仮設エレベータ１０）で生じる水平力のうち、ガイド支柱１２Ａ方向への押しつけ力と、その直角方向の力を受け持つ役目をしている。
【００３１】
連結部材４０３は、反力プレート４０２の同図左方に配設されており、締結具４０４を介して、基部４０１に締結されている。この連結部材４０３の先端部分は、略カギ状の連結部４０３ａとされている。反力プレート４０２の同図右方にも、連結部材４０３と同形状の連結部材が配設されており、基部４０１に締結されている。
【００３２】
連結部材４０３等は、連結部４０３ａ等が埋め込み部材１０２1等と連結されており、ガイド支柱１２Ａ（仮設エレベータ１０）を下部ＰＣ柱１００から引き離す方向の力を下部ＰＣ柱１００に伝達する。
【００３３】
連結プレート４０７には、連結部（図示略）が形成されている。この連結部には、壁つなぎ棒４０５および壁つなぎ棒４０６が締結具（図示略）により締結されている。これらの壁つなぎ棒４０５および壁つなぎ棒４０６の各他端（図示略）は、ガイド支柱１２Ａ（図５参照）に締結されている。
【００３４】
以上説明したように、実施例２によれば、カギ状の連結部材４０３等を用いる構成としたので、壁つなぎ材４００を取り付ける際の作業性が改善される。
【産業上の利用可能性】
【００３５】
以上のように、本発明にかかるエレベータの壁つなぎ方法は、ＰＣ柱等により構成された躯体に仮設エレベータを設ける場合の壁つなぎに対して有用である。
【図面の簡単な説明】
【００３６】
【図１】本発明にかかる実施例１によるエレベータの壁つなぎ方法を説明する平面図である。
【図２】図１に示したＡ−Ａ線視断面図である。
【図３】図１に示したＢ−Ｂ線視断面図である。
【図４】本発明にかかる実施例２によるエレベータの壁つなぎ方法を説明する一部裁断斜視図である。
【図５】従来のエレベータの壁つなぎ方法を説明する平面図である。
【符号の説明】
【００３７】
１００  下部ＰＣ柱
１０２1〜１０２4  埋め込み部材
２００  壁つなぎ材
２０１  基部
２０２  反力プレート
２０３  連結部材
２１１  壁つなぎ棒
３００  上部ＰＣ柱
３００ａ  凹部
４００  壁つなぎ材
４０１  基部
４０２  反力プレート
４０３  連結部材
４０３ａ  連結部
４０５  壁つなぎ棒
【図１】
2006057273.tif 000003
【図２】
2006057273.tif 000004
【図３】
2006057273.tif 000005
【図４】
2006057273.tif 000006
【図５】
2006057273.tif 000007